(57)【要約】【課題】元の画像と画像処理後の画像とをユーザの操作に連動してユーザが直感的に比べることができる表示制御装置、および、表示制御プログラムを提供する。【解決手段】表示制御装置は、画像データ取得手段が取得した画像データと領域設定手段が設定した領域ＡＲ及び領域ＰＲとに基づいて、画像データが表す第１画像の領域ＡＲに画像処理を施した第２画像を生成し、生成した第２画像を表示部に表示する表示制御部１１４、を備え、領域ＡＲと領域ＰＲとは、所定方向に沿って隣り合っており、領域設定部１１２は、センサ制御手段によって検出した接触位置が移動すると領域ＡＲと領域ＰＲとの境界を接触位置の移動に応じて移動させる。【選択図】図３
2011154533.tif 000002
【特許請求の範囲】
【請求項１】
ユーザからの接触操作を検出するためのセンサ部によって、前記センサ部における前記ユーザが接触操作した位置である接触位置を検出するセンサ制御手段と、
第１画像を表す画像データを取得する画像データ取得手段と、
前記画像データ取得手段が取得した前記画像データが表す前記第１画像における第１領域と第２領域とを、前記センサ制御手段が検出した前記接触位置に応じて設定する領域設定手段と、
前記画像データ取得手段が取得した前記画像データと前記領域設定手段が設定した前記第１領域及び前記第２領域とに基づいて、前記画像データが表す前記第１画像の前記第１領域に画像処理を施した第２画像を生成し、生成した前記第２画像を前記表示部に表示する表示制御手段と、を備え、
前記第１領域と前記第２領域とは、所定方向に沿って隣り合っており、
前記領域設定手段は、前記センサ制御手段によって検出した接触位置が移動すると前記第１領域と前記第２領域との境界を前記接触位置の移動に応じて移動させる、
ことを特徴とする表示制御装置。
【請求項２】
前記センサ部は、少なくとも、前記表示部の表示画面と少なくとも１方向で平行する１以上のタッチセンサを含む、
ことを特徴とする請求項１に記載の表示制御装置。
【請求項３】
前記表示制御手段は、前記センサ制御手段が検出した前記接触位置の往復移動に応じて、前記第１領域に対する前記画像処理の度合いを変化させるか又は前記第１領域に対する前記画像処理の種類を変更させる、
ことを特徴とする請求項１又は２に記載の表示制御装置。
【請求項４】
前記表示制御手段は、前記センサ制御手段が検出した前記接触位置が変化しない期間に応じて、前記第１領域に対する前記画像処理の度合いを変化させるか又は前記第１領域に対する前記画像処理の種類を変更させる、
ことを特徴とする請求項１乃至３のいずれか１項に記載の表示制御装置。
【請求項５】
前記センサ制御手段は、前記センサ部によって接触操作の内容をさらに検出し、
前記表示制御手段は、前記センサ制御手段が検出した前記接触操作の内容に応じて、前記第１領域に対する前記画像処理の度合いを変化させるか又は前記第１領域に対する前記画像処理の種類を変更させる、
ことを特徴とする請求項１乃至４のいずれか１項に記載の表示制御装置。
【請求項６】
前記接触操作の内容は、前記接触操作における押圧力である、
ことを特徴とする請求項５に記載の表示制御装置。
【請求項７】
前記センサ制御手段は、前記センサ部への前記接触操作による接触面積を検出し、
前記画像データ取得手段は、取得した前記画像データとは異なる他の画像データを取得し、
前記表示制御手段は、前記接触面積の大きさが所定の基準を満たす場合に、前記第２画像を前記表示部に表示する処理を行い、前記接触面積の大きさが所定の基準を満たさない場合に、前記画像データ取得手段が取得した前記他の画像データに基づいて、前記他の画像データが表す他の画像を前記表示部に表示することで、前記表示部にすでに表示されている画像を前記他の画像に切り替える処理を行う、
ことを特徴とする請求項１乃至６のいずれか１項に記載の表示制御装置。
【請求項８】
コンピュータに、
ユーザからの接触操作を検出するためのセンサ部によって、前記センサ部における前記ユーザが接触操作した位置である接触位置を検出するセンサ制御手段と、
第１画像を表す画像データを取得する画像データ取得手段と、
前記画像データ取得手段が取得した前記画像データが表す前記第１画像における第１領域と第２領域とを、前記センサ制御手段が検出した前記接触位置に応じて設定する領域設定手段と、
前記画像データ取得手段が取得した前記画像データと前記領域設定手段が設定した前記第１領域及び前記第２領域とに基づいて、前記画像データが表す前記第１画像の前記第１領域に画像処理を施した第２画像を生成し、生成した前記第２画像を前記表示部に表示する表示制御手段と、として機能させ、
前記第１領域と前記第２領域とは、所定方向に沿って隣り合っており、
前記領域設定手段は、前記センサ制御手段によって検出した接触位置が移動すると前記第１領域と前記第２領域との境界を前記接触位置の移動に応じて移動させる、
ことを特徴とする表示制御プログラム。
【発明の詳細な説明】
【技術分野】
【０００１】
本発明は、表示制御装置、および、表示制御プログラムに関する。
【背景技術】
【０００２】
デジタルカメラの普及により、デジタルデータで記録された写真画像を得ることが一般的となっている。従来のフィルムカメラによる撮影の場合、プリントを伴うことが多かったが、デジタル方式の場合、撮影したデジタルカメラで閲覧したり、画像データを取り込んだパーソナルコンピュータなどで閲覧したりすることができるため、写真の楽しみ方にも変化が生じている。
【０００３】
このような状況において、デジタル写真でも従来のプリント写真と同様の楽しみ方ができるようにするため、いわゆるデジタルフォトフレームが実現され普及している（例えば、特許文献１）。
【０００４】
このようなデジタルフォトフレームでは、デジタル方式の特性を活かし、従来のプリント写真を掲出するフォトフレームではできなかった複数の写真をスライドショー形式で表示するなどの多様な表示態様を実現することができるとともに、取得した写真画像に画像処理を加えることで、例えば、元の写真をベースとしつつも趣の異なる写真画像（例えば、絵画調など）等を生成して表示することもできる。
【先行技術文献】
【特許文献】
【０００５】
【特許文献１】特開２００９−１４１６７８号公報
【発明の概要】
【発明が解決しようとする課題】
【０００６】
しかしながら、上記技術では、元の画像と画像処理後の画像とをユーザの操作に連動してユーザが直感的に比べることができなかった。
【０００７】
本発明は、元の画像と画像処理後の画像とをユーザの操作に連動してユーザが直感的に比べることができる表示制御装置、および、表示制御プログラムを提供することを目的とする。
【課題を解決するための手段】
【０００８】
上記目的を達成するため、本発明の第１の観点にかかる表示制御装置は、
ユーザからの接触操作を検出するためのセンサ部によって、前記センサ部における前記ユーザが接触操作した位置である接触位置を検出するセンサ制御手段と、
第１画像を表す画像データを取得する画像データ取得手段と、
前記画像データ取得手段が取得した前記画像データが表す前記第１画像における第１領域と第２領域とを、前記センサ制御手段が検出した前記接触位置に応じて設定する領域設定手段と、
前記画像データ取得手段が取得した前記画像データと前記領域設定手段が設定した前記第１領域及び前記第２領域とに基づいて、前記画像データが表す前記第１画像の前記第１領域に画像処理を施した第２画像を生成し、生成した前記第２画像を前記表示部に表示する表示制御手段と、を備え、
前記第１領域と前記第２領域とは、所定方向に沿って隣り合っており、
前記領域設定手段は、前記センサ制御手段によって検出した接触位置が移動すると前記第１領域と前記第２領域との境界を前記接触位置の移動に応じて移動させる。
【０００９】
上記目的を達成するため、本発明の第２の観点にかかる表示制御プログラムは、
コンピュータに、
ユーザからの接触操作を検出するためのセンサ部によって、前記センサ部における前記ユーザが接触操作した位置である接触位置を検出するセンサ制御手段と、
第１画像を表す画像データを取得する画像データ取得手段と、
前記画像データ取得手段が取得した前記画像データが表す前記第１画像における第１領域と第２領域とを、前記センサ制御手段が検出した前記接触位置に応じて設定する領域設定手段と、
前記画像データ取得手段が取得した前記画像データと前記領域設定手段が設定した前記第１領域及び前記第２領域とに基づいて、前記画像データが表す前記第１画像の前記第１領域に画像処理を施した第２画像を生成し、生成した前記第２画像を前記表示部に表示する表示制御手段と、として機能させ、
前記第１領域と前記第２領域とは、所定方向に沿って隣り合っており、
前記領域設定手段は、前記センサ制御手段によって検出した接触位置が移動すると前記第１領域と前記第２領域との境界を前記接触位置の移動に応じて移動させる。
【発明の効果】
【００１０】
本発明によれば、元の画像と画像処理後の画像とをユーザの操作に連動してユーザが直感的に比べることができる表示制御装置、および、表示制御プログラムを提供することができる。
【図面の簡単な説明】
【００１１】
【図１】本発明の実施形態１にかかる表示制御装置の外観を示す図である。
【図２】図１に示す表示制御装置のハードウェア構成を示す図である。
【図３】図２に示す制御部の構成を示す図である。
【図４】本発明の実施形態１にかかる「タッチ連動表示処理」を説明するためのフローチャートである。
【図５】図４に示す「タッチ連動表示処理」で実行される「表示変更処理（１）」を説明するためのフローチャートである。
【図６】図４に示す「タッチ連動表示処理」で実行される「表示変更処理（２）」を説明するためのフローチャートである。
【図７】図４に示す「タッチ連動表示処理」での動作例を説明するための図であり、（ａ）は、元画像と変換画像の例を示し、（ｂ）は、元画像が表示された状態の例を示し、（ｃ）は、タッチセンサ上に設定された領域の例を示す。
【図８】図５に示す「表示変更処理（１）」での動作例を説明するための図であり、（ａ）は、タッチセンサで検出された手指スライドに応じて設定される領域の例を示し、（ｂ）は、手指スライドに応じて切り替えられた画面表示の例を示し、（ｃ）は、画像切替時に付加される表示演出の例を示す。
【図９】図６に示す「表示変更処理（２）」にかかる表示変化の例を示す図である。
【図１０】本発明の実施形態２にかかる表示変化の例を示す図である。
【図１１】本発明の実施形態２にかかる表示変化の他の例を示す図である。
【図１２】本発明の実施形態３にかかるデジタルフォトフレームの外観構成の例を示す図である。
【図１３】本発明の実施形態４にかかるデジタルフォトフレームの動作例を示す図であり、（ａ）は、タッチパネル上での手指接触面積に応じて処理を異ならせる場合の画面表示例を示し、（ｂ）は、タッチパネル上のマルチタッチによって指定される領域の例を示す図である。
【発明を実施するための形態】
【００１２】
（実施形態１）
本発明にかかる実施形態を、図面を参照して以下に説明する。本実施形態では、本発明にかかる表示制御装置を、図１に示すようなデジタルフォトフレーム１００によって実現した場合を例示する。本実施形態にかかるデジタルフォトフレーム１００は、図１に示すように、フォトフレーム（写真立て）を模した筐体に表示パネル（表示部１２０）を構成し、デジタルデータによる写真画像などを表示する機能を有するデジタルフォトフレームであり、このようなデジタルフォトフレームの一般的な構成に加え、手指の接触などを感知するタッチセンサ（センサ部１３０）が構成される。
【００１３】
このようなデジタルフォトフレーム１００のハードウェア構成を、図２を参照して説明する。
【００１４】
図示するように、本実施形態にかかるデジタルフォトフレーム１００は、制御部１１０、表示部１２０、センサ部１３０、操作部１４０、Ｉ／Ｆ部１５０、記憶部１６０、などから構成されている。
【００１５】
制御部１１０は、例えば、ＣＰＵ（Central Processing Unit：中央演算処理装置）などのプロセッサや、ＲＡＭ（Random Access Memory）などの主記憶装置（メモリ）、ＶＲＡＭ（Video RAM）などの表示用記憶装置、などから構成され、デジタルフォトフレーム１００の各部を制御することで、デジタルフォトフレーム１００の主要な動作（後述するタッチ連動表示処理）が実現される。特に、本実施形態では、ＣＰＵが記憶部１６０に記録された表示制御プログラムを実行することで、制御部１１０が行う後述するタッチ連動表示処理（制御部１１０が備える、後述の画像データ取得部１１１と領域設定部１１２と表示制御部１１４とセンサ制御部１１３とが実際に行うタッチ連動表示処理）を実行される。
【００１６】
表示部１２０は、例えば、液晶表示パネルや有機ＥＬ（Electro-Luminescence）パネルなどの表示パネルや表示パネルを駆動させるドライバ回路などから構成され、制御部１１０の制御のもと、制御部１１０が生成等した画像データに基づく画像などを表示する。
【００１７】
センサ部１３０は、例えば、静電容量方式のタッチセンサなどから構成され、デジタルフォトフレーム１００の使用者による手指の接触による操作（接触操作）を検出するためのものである。センサ部１３０は、タッチ位置（座標で表現される。）、接触の内容（例えば、押圧力）などに応じた検出信号を生成して制御部１１０に供給する。センサ部１３０を構成するタッチセンサは、例えば、図１に示すような略矩形の形状であり、長手方向で表示パネルと平行するように表示パネルの近傍に配置されているものとする。また、タッチセンサと表示パネルの長手方向のサイズは略同一であるものとし、タッチセンサ上でのタッチ位置（接触位置）と表示パネル上のｘ方向（横方向）の座標とが、必要十分な精度で対応しているものとする。
【００１８】
操作部１４０は、例えば、デジタルフォトフレーム１００の外面上に構成されている各種ボタンなどによって構成され、デジタルフォトフレーム１００の使用者（ユーザ）による操作に応じた操作信号を生成して制御部１１０に供給する。操作部１４０が操作されることにより、例えば、デジタルフォトフレーム１００の電源オン・オフや動作モードの設定、表示させる画像の選択、などがおこなわれる。
【００１９】
Ｉ／Ｆ部１５０は、外部装置とのインタフェース（Ｉ／Ｆ）であり、例えば、画像データが保存されたメモリカードなどの外部記憶媒体が着脱されるカードスロットや、デジタルカメラやパーソナルコンピュータなどから転送される画像データを取得するためのインタフェース（例えば、ＵＳＢ（Universal Serial Bus）ポートなど）、などから構成される。
【００２０】
記憶部１６０は、例えば、ＲＯＭ（Read Only Memory）やフラッシュメモリなどの記憶装置から構成され、デジタルフォトフレーム１００の動作に必要なプログラムやデータなどを格納する。本実施形態では、制御部１１０などがタッチ連動表示処理を実行するのに必要な、表示制御プログラム、パラメータ、演算式等が記憶部１６０に記録されているものとする。
【００２１】
以上が本実施形態にかかるデジタルフォトフレーム１００を構成している主要なハードウェア構成となるが、デジタルフォトフレームとしての基本機能や種々の付加機能に用いられる構成は必要に応じて備えられているものとする。
【００２２】
本実施形態では、以上のような構成のデジタルフォトフレーム１００で、例えば、デジタルカメラなどで撮影した写真画像を表示させる場合を想定する。この場合において、本実施形態にかかるデジタルフォトフレーム１００では、取得した写真画像（以下、「元画像」とする）の画像データを加工することで、同じ写真画像からこの写真画像とは異なる画風に変換した画像（以下、「変換画像」とする）を生成して表示可能であるものとする。
【００２３】
制御部１１０（特に後述の表示制御部１１４）は、ラスタ形式の画像データを扱うグラフィックソフト（いわゆるペイント系ソフト（例えば、フォトショップ（ＰＨＯＴＯＳＨＯＰ：登録商標））で用いられているフィルタ（アートフィルタ）などと同様の効果となる画像処理をおこなうことで、取得した元画像についての種々のパラメータを変更し、例えば、絵画調（油絵風、ちぎり絵風、水墨画風等）の画像などの変換画像を生成する。この場合の画像処理の種類は任意であり、実行可能な画像処理によって実現できる種々の画像変換（例えば、モノクロ調への変換、セピア調への変換、ソフトフォーカス調への変換、ビビッド調への変換、モザイク調への変換、ミニチュア写真風への変換、など）が適用されうる。なお、上記のパラメータは、画像処理を施すときに使用される各種数値である。このようなパラメータは、画像処理の性質を表す数値であり、例えば、明るさ、画像変換の細かさ、なめらかさ、テクスチャを規定する値等、画像処理の種類（変更する画風の種類）によって、様々なもので構成される。ここでは、このパラメータによって画風の変更の度合い（画像処理の度合い）が表現される。ここでは、パラメータの上下に応じて、画像処理の度合いも上下する。また、パラメータが大きければ、つまり、画像処理の度合いが大きければ、画像処理の前後の画像の変化が大きくなる。つまり、画像処理の度合い（ここでは、パラメータ）とは、例えば、画像処理の前後の画像を比べたときの変化の度合いである。前記のパラメータは、例えば、描画パラメータであり、例えば、フォトショップ等で使用される画像変換のパラメータ等である。
【００２４】
本実施形態では、このような画像処理やその表示動作を、センサ部１３０を構成するタッチセンサへの手指接触と連動させることにより、より利便性の高い画像表示の実現を図る。
【００２５】
次に制御部１１０の構成について図３を参照して説明する。制御部１１０は、画像データ取得部１１１、領域設定部１１２、センサ制御部１１３、表示制御部１１４、などを備える。上述のように、これらの各部が行う処理は、ここでは、ＣＰＵによって行われ、これらの各部は制御部１１０の構成要素であるＣＰＵ、ＲＡＭ、ＶＲＡＭ等の組み合わせによって構成される。
【００２６】
画像データ取得部１１１は、デジタルフォトフレーム１００で表示する画像（元画像）を表す画像データを取得する。ここでは、例えば、Ｉ／Ｆ部１５０を制御することで、メモリカード又は外部装置（デジタルカメラ、パーソナルコンピュータなど）などから写真画像などを表す画像データを取得する。デジタルフォトフレーム１００の外部から取得された画像データは、記憶部１６０に保存されていてもよく、この場合は、画像データ取得部１１１は、表示対象となる写真画像の画像データを記憶部１６０から取得する。
【００２７】
画像データ取得部１１１は、表示対象となる画像データを取得すると、この取得した画像データを保持する（例えば、ＲＡＭに展開する）。なお、表示対象となる画像データや画像の取得元などの選択は、デジタルフォトフレーム１００の使用者による操作部１４０の操作に基づいてなされる。
【００２８】
センサ制御部１１３は、センサ部１３０を制御し、タッチセンサ上での接触操作に応じた検出信号を取得する。この検出信号に基づいて、センサ制御部１１３は、タッチ位置、接触の内容等を検出する。
【００２９】
領域設定部１１２は、センサ制御部１１３が検出したタッチ位置等に基づいて、画像データ取得手段が保持する画像データが表す元画像における二つの領域を設定する。この二つの領域を第１領域と第２領域とする。この二つの領域は、タッチ位置の変化に応じて動的に変化する。
【００３０】
表示制御部１１４は、画像データ取得部１１１が取得しＲＡＭに展開されている元画像の画像データ（以下、元画像データという。）を加工することで、異なる画風の変換画像の画像データ（以下、変換画像データという。）を生成する。ここでは、上述したような、ラスタ画像用のグラフィックソフトにおけるフィルタ（アートフィルタ）などと同様の動作をおこなうことで、元画像データを加工して変換画像データを生成する。すなわち、元画像を変換した変換画像が生成される。本実施形態では、センサ部１３０のタッチセンサで検出された手指接触と連動した表示制御（詳細後述）がおこなわれるものとするが、元画像を表示している過程で操作部１４０が任意に操作されることに応じて、画像処理がおこなわれてもよい。
【００３１】
１つの元画像から生成される変換画像は１つに限られるものではなく、例えば、異なる画像処理を施した複数種類の変換画像（つまり、画風が異なる複数種の変換画像）が生成されてもよく、あるいは、同じ画像処理でパラメータを異ならせた複数種類の変換画像（つまり、画像処理の度合いが異なる複数種の変換画像）が生成されてもよい。なお、表示制御（タッチ連動表示処理等も含む）に必要となる表示制御プログラムやデータ（パラメータ等）などは記憶部１６０に格納されているものとし、生成された変換画像データは、ＲＡＭやＶＲＡＭに展開される他、必要に応じて記憶部１６０などに保存される。
【００３２】
表示制御部１１４は、表示部１２０を制御し、画像データ取得部１１１が取得した元画像データに基づいて、元画像を表示部１２０の表示パネルに表示させる他、変換画像を表示パネルに表示させる。また、表示制御部１１４は、領域設定部１１２が設定した第１領域と第２領域とに基づいて、元画像と変換画像の表示態様を制御する。特に、動的に変化する第１領域と第２領域とに基づいて、元画像と変換画像の表示態様を動的に制御する。この場合、表示制御部１１４は、第１領域を変換画像のこの領域に対応する部分とし、第２領域を元画像のこの領域に対応する部分とした第２画像を表示部に表示する。
【００３３】
この場合において、表示制御部１１４は、例えば、既知のオーサリングソフトなどで用いられているような演出効果のある表示処理により、例えば、アニメーション効果のあるテンプレート画像などを表示画像と合成して表示出力する。このようなテンプレート画像は予め作成されているものとし、記憶部１６０などに格納されているものとする。
【００３４】
なお、本実施形態では、制御部１１０（ＣＰＵ）がプログラムを実行することによる論理的処理で上述した各機能が実現されるものとするが、これらの機能を、例えば、ＡＳＩＣ（Application Specific Integrated Circuit：特定用途向け集積回路）などのハードウェアによって構成してもよい。つまり、制御部１１０の一部をＡＳＩＣによって構成してもよい。例えば、表示制御部１１４の少なくとも一部は、いわゆる画像処理エンジンなどのような、制御部１１０のＣＰＵなどとは独立した専用プロセッサによって構成されてもよく、いわゆるグラフィックボードなどのような、制御部１１０のＣＰＵなどとは独立した専用プロセッサを有するモジュール等によって構成されてもよい。
【００３５】
このような構成のデジタルフォトフレーム１００による動作例を以下に説明する。ここでは、デジタルフォトフレーム１００による表示制御時に制御部１１０の各部によって実行される「タッチ連動表示処理」を、図４のフローチャートを参照して説明する。本実施形態にかかるデジタルフォトフレーム１００には、取得した元画像を順次表示させる通常の表示モードの他に、センサ部１３０のタッチセンサへの手指接触と連動して変換画像の生成や表示切替をおこなうことのできるモード（以下、「タッチ連動モード」とする）が用意されているものとし、このタッチ連動モードが選択されたことを契機に「タッチ連動表示処理」が開始されるものとする。
【００３６】
上述したように、本実施形態にかかるデジタルフォトフレーム１００では、表示パネルの横方向に対応するタッチセンサが備えられており、本実施形態では、本実施形態にかかるデジタルフォトフレーム１００は、このようなタッチセンサ上での左右方向の手指移動（スライド）に応じて、元画像と変換画像との表示切替や複数の変換画像の表示切替がおこなわれるように動作する。
【００３７】
すなわち、手指のスライド方向によって表示制御をおこなうものであるが、本実施形態では、例えば、「元画像が表示されているときにタッチセンサ上で右から左へのスライドが検出された場合には、当該元画像についての変換画像へと表示を切り替える」、などのような連動動作が予め規定されているものとする。
【００３８】
なお、このような動作規定は、例えば、適用する画像処理の種類などとともに、使用者によって任意に設定できるものとし、設定内容が記憶部１６０に記録されているものとする。以下に説明する処理は、このような動作規定に基づいておこなわれるものであり、対応する動作規定は一例である。
【００３９】
タッチ連動表示処理が開始されると、画像データ取得部１１１は、表示対象となる元画像の元画像データを取得してＲＡＭに展開し、その旨を表示制御部１１４及び領域設定部１１２に通知する。表示制御部１１４は、ＲＡＭに展開された元画像データが表す元画像を表示部１２０に表示する（ステップＳ１１）。ここで、本実施形態にかかるデジタルフォトフレーム１００は、上述したように、レイヤ表示可能であるものとし、ステップＳ１１では、表示制御部１１４は、画像データ取得部１１１が取得した元画像を、図７（ａ）に示すような、表示部１２０の表示画面において最も前面となるレイヤ（以下、「前面レイヤ」とする）に表示する。
【００４０】
ここで、本実施形態では、図７（ａ）に示すような元画像と、当該元画像に対して画像処理をおこなうことで生成される変換画像とを例に以下説明する。この場合、ステップＳ１１での表示処理により、図７（ｂ）に示すように、元画像が表示部１２０の表示パネルに表示される。ここでは、元画像を前面レイヤとして表示しているので、図７（ｂ）に示すように、元画像が可視的に表示されることになる。
【００４１】
また、後述する変換画像は、図７（ａ）に例示するような、元画像に画像処理（アートフィルタなど）を施すことで、被写体や構図などは同一であるが、例えば、色調やテクスチャ、輪郭線などを変化させたものである。本実施形態では、適宜、元画像と変換画像とをレイヤ表示させる際のデフォルト設定として、図７（ａ）に示すように、元画像が表示される前面レイヤの背面となるレイヤ（以下、「背面レイヤ」とする）に変換画像が表示されるものとする。
【００４２】
一方、処理開始と同時に、センサ制御部１１３がセンサ部１３０を制御することで、センサ部１３０を構成しているタッチセンサが励起され、センサ部１３０は、使用者等による手指接触による接触操作を検出できる状態となる。使用者等がタッチセンサに接触操作（タッチ）すると、これを検出したセンサ部１３０から検出信号がセンサ制御部１１３に入力される。センサ制御部１１３は、このような検出信号の入力の有無に基づいて、タッチセンサへのタッチが発生したか否かを判別する（ステップＳ１２）。
【００４３】
センサ制御部１１３は、センサ部１３０からの検出信号に基づいて、タッチセンサへのタッチが発生したことを検出すると（ステップＳ１２：Ｙｅｓ）、タッチセンサ上でのタッチ位置がどこであるかを判別する（ステップＳ１３）。ここで、本実施形態では、図７（ｃ）に示すように、センサ部１３０を構成しているタッチセンサ上に、例えば、長手方向に略３等分した３つの領域が設定されているものとする。これらの領域は、表示部１２０の表示パネルに表示されている画像を鑑賞するユーザ等から向かって左から、「左領域」、「中央領域」、「右領域」であるものとし、「左領域」には少なくともタッチセンサの左端部が含まれ、「中央領域」には少なくともタッチセンサの中央部が含まれ、「右領域」には少なくともタッチセンサの右端部が含まれているものとする。
【００４４】
センサ制御部１１３は、センサ部１３０から入力される検出信号が示すタッチを検出した位置（タッチ位置）に基づいて、使用者等によるタッチセンサでのタッチ位置が上記各領域のいずれであるかを判別する。
【００４５】
タッチセンサ上でのタッチ位置が「右領域」である場合（ステップＳ１４：Ｙｅｓ）、領域設定部１１２と表示制御部１１４とは、タッチセンサ上での手指移動（スライド）動作（タッチ位置の移動）に基づいて元画像と変換画像との表示変更をおこなうための「表示変更処理（１）」を実行する。
【００４６】
ここで、本実施形態では、タッチ連動表示の際、右から左へのスライド動作の場合には、スライドに応じて元画像から変換画像に変化する動作規定がなされているものとする。この場合、タッチした手指を左方向にスライドさせる可能性が高い「右領域」に最初のタッチがなされたことを契機に、元画像から変換画像に変化させるための「表示変更処理（１）」が実行される。この「表示変更処理（１）」を、図５に示すフローチャートを参照して説明する。
【００４７】
処理が開始されると、表示制御部１１４は、直接もしくは画像データ取得部１１１を介して記憶部１６０などにアクセスし、ステップＳ１１で表示した元画像から変換された変換画像が作成済であるか否かを判別する（ステップＳ１０１）。例えば、以前の処理、又は適宜のタイミング等によって、表示制御部１１４等によって元画像データから予め変換画像データが生成されて、記憶部１６０に記録されている場合があり、この場合には、記憶部１６０に変換画像データが記録されているため、ステップＳ１０１において変換画像が作成済みと判別されるものとする。また、この場合、変換画像データは、元画像データを用いて検索可能となるように、記憶部１６０に記録されるものとする。そして、表示制御部１１４は、画像データ取得部１１１が保持する元画像データに基づいて、変換画像データを検索し、変換画像が作成済みであるか（記録されているか）を判別する。
【００４８】
作成済である場合（ステップＳ１０１：Ｙｅｓ）、表示制御部１１４は、当該変換画像の変換画像データの取得を直接もしくは画像データ取得部１１１を介して行い、この変換画像データの変換画像を背面レイヤとして表示する。この場合、図７（ａ）に示すように、変換画像が背面レイヤに設定される（ステップＳ１０２）。この場合、元画像と変換画像とが同一座標系では同じ位置となるようＲＡＭもしくはＶＲＡＭ上で仮想的に積層配置するので、元画像は可視的に表示されるが、変換画像は不可視となる。なお、作成済の変換画像が存在しない場合（ステップＳ１０１：Ｎｏ）、ステップＳ１０２の動作はスキップされる。
【００４９】
この間もセンサ部１３０ではタッチセンサの動作が継続されており、検出に応じた検出信号が随時センサ制御部１１３に供給される。センサ制御部１１３は、このような検出信号の変化に基づいて、タッチセンサ上の手指がスライドしたか否かを判別する（ステップＳ１０３）。すなわち、最初に検出されたタッチ位置から、タッチ状態を維持したままタッチ位置に変化が生じた場合、タッチセンサ上の手指がスライドしたと判別する。
【００５０】
タッチセンサ上の手指がスライドした場合（ステップＳ１０３：Ｙｅｓ）、センサ制御部１１３は、そのスライド方向が、使用者等からタッチセンサに向かって「左方向」であるか否かを判別し（ステップＳ１０４）、左方向へのスライドである場合には（ステップＳ１０４：Ｙｅｓ）、その移動量（スライド量）を示す情報を随時領域設定部１１２に通知する。つまり、領域設定部１１２は、センサ制御部１１３によって随時移動量を特定できる。
【００５１】
領域設定部１１２は、センサ制御部１１３から通知されるスライド量を示す情報に基づいて、タッチパネル上でのスライド量（センサ制御部１１３が検出したタッチ位置）に応じて動的に規定される前面レイヤ上の領域（以下、「領域ＡＲ」とする）を設定する（ステップＳ１０５）。
【００５２】
ここでは、表示部１２０の表示パネル上での表示領域を、例えば、図８（ａ）に示すような、画面の左上頂部の座標を（Xmin ,Ymin）、画面の右下頂部の座標を（Xmax, Ymax）とする範囲とし、タッチセンサ上でのスライド量に対応する表示画面上での１次元方向（Ｘ方向＝横方向）のドット数をＭとした場合、座標（Xmax, Ymax）と、座標（Xmax-M, Ymin）を対角とする矩形領域が領域ＡＲとして設定される。第１領域と第２領域との境界と、タッチセンサにおけるタッチ位置と、は、横方向において略同じ位置になるように領域ＡＲが設定される。なお、この領域ＡＲは、ここでは、上記の第１領域に相当する。また、領域ＡＲの形状は、矩形以外の形状でもよく、適宜設定されているものとする。
【００５３】
領域設定部１１２が領域ＡＲを設定すると、表示制御部１１４は、当該領域ＡＲでは変換画像が可視的に表示されるような表示処理をおこなう（ステップＳ１０６）。この場合の表示処理は、例えば、変換画像が作成済であるか否かによって異なる。
【００５４】
変換画像が作成済である場合、ステップＳ１０２で変換画像が背面レイヤに設定されているので、前面レイヤにおける領域ＡＲを透過させる表示処理をおこなうことで、図８（ｂ）に示すように、領域ＡＲでは変換画像が可視的に表示される。この場合、領域ＡＲに応じて受動的に規定される残りの領域（以下、「領域ＰＲ」とする。この領域ＰＲが上記の第２領域に相当する。）には、元画像が可視的に表示されたままとなる。すなわち、図８（ｂ）に示すように、元画像と変換画像とが部分的に合成された状態で表示される。
【００５５】
一方、変換画像が未作成である場合、領域設定部１１２は、設定した領域ＡＲを表示制御部１１４に通知することで、表示制御部１１４は、前面レイヤに表示している元画像における領域ＡＲの部分に画像処理を施すようにする。すなわち、画像データ取得部が保持している元画像データに基づいて、このデータの元画像に対し部分的に画像処理をおこなうことで、元画像のうち、領域ＡＲに対応する部分が変換画像となる。この場合も、図８（ｂ）に示すような、元画像と変換画像とが部分的に合成された表示となる。
【００５６】
上記いずれの場合でも、表示制御部１１４は、画像データ取得部１１１が取得した画像データと領域設定手段１１２が設定した第１領域（領域ＡＲ）及び第２領域（領域ＰＲ）とに基づいて、画像データが表す第１画像の第１領域の画風を変更させた（第１領域に画像処理を施した）第２画像を生成することになる。ここでは、とくに、表示制御部１１４によって、第２画像を表す第２画像データが生成されることによって、第２画像が生成される。そして、表示制御部１１４によって第２画像が表示部１２０に表示されることになる。
【００５７】
ここで、センサ制御部１１３は、センサ部１３０からの検出信号に基づいて、タッチセンサ上での手指スライドが停止したか否かを判別し、表示制御部１１４は、スライドに連動した表示処理により変換画像の全面が可視的に表示されたか否かを判別する（ステップＳ１０７）。
【００５８】
これらの条件のいずれもが生じなければ（ステップＳ１０７：Ｎｏ）、領域設定部１１２と表示制御部１１４とは、ステップＳ１０５〜ステップＳ１０６の動作を連続的におこなう。これにより、図８（ｂ）に示すように、タッチセンサ上での右から左への手指スライドに合わせ、元画像の右端からの領域が変換画像に変化するように表示される。
【００５９】
この表示処理をおこなう際に、例えば、図８（ｃ）に示すような、ページカールを模した装飾イメージなどを領域ＡＲと領域ＰＲの境界に合わせて合成することで、表示演出をおこなってもよい。このような表示演出の実施要否や合成させる画像の種類などは、予め使用者等により設定されているものとし、この設定にしたがって表示処理がなされるものとする。なお、このような表示演出によって、元画像と変換画像との境界が分かりやすくなる。
【００６０】
一方、タッチセンサ上での手指スライドの停止もしくは変換画像全面の可視表示がなされたと判別された場合において（ステップＳ１０７：Ｙｅｓ）、その後さらにタッチセンサ上での右方向へのスライドが検出されると（ステップＳ１０８：Ｙｅｓ）、上記左方向へのスライドの場合と同様の処理により、領域設定部１１２が右方向へのスライド量に対応する一次元方向のドット数に基づいた領域ＡＲを設定し（ステップＳ１０９）、表示制御部１１４は、当該領域ＡＲが元画像で表示されるような表示処理を、右方向への手指スライドの停止や元画像全面の可視表示がなされるまで行う（ステップＳ１１０、ステップＳ１１１：Ｎｏ）。
【００６１】
そして、右方向への手指スライドが停止したり、元画像の全面が可視表示されたりすると（ステップＳ１１１：Ｙｅｓ）、表示制御部１１４は、本処理を終了させる条件となる所定の終了イベントが発生したか否かを判別する（ステップＳ１１２）。ここでは、例えば、タッチセンサから手指が離れたことやタッチ連動モードが終了したことなどが終了イベントとなる。
【００６２】
このような終了イベントが発生しなければ（ステップＳ１１２：Ｎｏ）、ステップＳ１０３以降の処理が繰り返し実行される。すなわち、元画像が表示された状態において、タッチセンサ上で左方向に手指をスライドさせると、そのスライドに対応して変換画像が表示されるようになり、右方向にスライドさせると、そのスライドに対応して元の表示に戻るような画面表示が連続的におこなわれる。このようにして、タッチ位置の移動に応じて、領域ＡＲと領域ＰＲとが動的に変化する。
【００６３】
なお、タッチセンサの右領域上でタッチ検出されたことを契機に開始された本処理において、タッチセンサ上での手指スライドが検出されない場合（ステップＳ１０３：Ｎｏ）、手指をスライドさせない場合の表示処理となる「表示変更処理（２）」（ステップＳ２００）のステップＳ２０３〜ステップＳ２０７（詳細後述）が実行されることになる（ステップＳ１１３）。
【００６４】
また、本処理は、左方向へのスライドとなる可能性の高い右領域でのタッチが検出されたことを契機に開始されるものであるが、この状態で右方向へのスライドが検出された場合（ステップＳ１０４：Ｎｏ）、本処理にかかる表示処理が既に実行されているのであれば（ステップＳ１１４：Ｙｅｓ）、右方向のスライドに応じた表示処理であるステップＳ１０９〜ステップＳ１１１の動作がおこなわれる。
【００６５】
一方、処理を開始してから最初に検出されたスライドの方向が右方向である場合（ステップＳ１１４：Ｎｏ）は、表示制御時の右方向スライドに対応した「通常の表示切替処理」（ステップＳ３００、詳細後述）が実行されることになる。
【００６６】
ここでは、左方向のスライドとなる可能性が高い右領域でのタッチが検出されると、スライドが検出される前に変換画像の用意がされる場合がある（ステップＳ１０２）。この場合、スライドの検出と同時に表示切替をおこなうことができるとともに、スライド方向が想定とは異なる場合であっても、当該スライド方向について規定された動作が実行され、使用者にストレスをかけない表示制御をおこなうことができる。
【００６７】
「表示変更処理（１）」についての処理終了イベントの発生（ステップＳ１１２：Ｙｅｓ）などによって本処理を終了すると、「タッチ連動表示処理」（図４）のフローに戻る。
【００６８】
「表示変更処理（１）」からリターンした「タッチ連動表示処理」では、「タッチ連動表示処理」を終了させる条件となる所定の終了イベントが発生したか否かが判別される（ステップＳ１６）。ここでは、例えば、タッチ連動モードが終了したことやデジタルフォトフレーム１００の電源オフなどが終了イベントとなる。
【００６９】
本処理にかかる終了イベントが発生しなければ（ステップＳ１６：Ｎｏ）、ステップＳ１２以降の処理がおこなわれる。以下、検出されたタッチの位置が「右領域」以外である場合の動作例を説明する。
【００７０】
まず、タッチ位置が「中央領域」であった場合の動作を例示する。本実施形態では、タッチセンサ上の１点をタッチし続けた場合、そのとき表示されている元画像を変換画像に切り替えた上で、当該変換画像にかかる画像処理のパラメータを、タッチ継続時間に応じて変化させて表示する動作が規定されているものとする。この場合において、推奨されるタッチ位置がタッチセンサの「中央領域」であるものとする。
【００７１】
このような動作規定に基づき、検出されたタッチの位置が「中央領域」である場合（ステップＳ１５：ＹＥＳ）、上記表示処理をおこなうための「表示変更処理（２）」が実行される（ステップＳ２００）。この「表示変更処理（２）」を、図６に示すフローチャートを参照して説明する。
【００７２】
処理が開始されると、センサ制御部１１３は、センサ部１３０から入力される検出信号に基づいて、タッチセンサ上での手指スライドがおこなわれていないか判別する（ステップＳ２０１）。ここで、本処理開始後に手指スライドが検出された場合（ステップＳ２０１：Ｎｏ）、スライドに応じて表示処理をおこなう「表示変更処理（１）」（図５）のステップＳ１０４〜ステップＳ１１２が実行される（ステップＳ２０２）。すなわち、タッチ位置から想定される操作ではない場合でも、検出された動作に応じた表示処理がおこなわれる。
【００７３】
一方、タッチした手指が静止しているのであれば（ステップＳ２０１：Ｙｅｓ）、表示制御部１１４は、直接もしくは画像データ取得部１１１を介して記憶部１６０などにアクセスし、ステップＳ１１で表示した元画像から変換された変換画像が作成済であるか否かを判別する（ステップＳ２０３）。これらの処理は、ステップＳ１０３の処理と同様であるので詳細な説明を省略する。
【００７４】
作成済である場合（ステップＳ２０３：Ｙｅｓ）、表示制御部１１４は、当該変換画像の変換画像データの取得を直接もしくは画像データ取得部１１１を介して行い、この変換画像データの変換画像を前面レイヤとして表示部１２０に表示する。すなわち、デフォルトでは元画像が前面レイヤで可視表示されているが、本処理においては、当該元画像についての変換画像に切り替えられることになる（ステップＳ２０４）。なお、記憶部１６０などに格納されている変換画像の画像データには、当該変換画像の生成に用いられた画像処理で適用されたパラメータを示す情報が含まれているものとする。
【００７５】
一方、表示中の元画像についての変換画像が作成済でない場合（ステップＳ２０３：Ｎｏ）、表示制御部１１４は、画像処理を当該元画像に適用することで変換画像を生成し（つまり、画像データ取得部１１１が保持する元画像データに基づいて、変換画像データを生成し）、生成した変換画像を表示部１２０に表示する（つまり、生成した変換画像データに基づいて変換画像を表示部１２０に表示する）。これにより、可視表示される画像が元画像から変換画像に切り替わる（ステップＳ２０５）。この場合において、表示制御部１１４は、例えば、実行する画像処理の適用度合（画風の変更の度合い、つまり、画風の変化度）が最も低くなるパラメータを適用して変換画像を生成する。
【００７６】
本実施形態では、画像処理の適用度合が最も弱くなるパラメータを「初期値」とし、パラメータが初期値の画像処理によって生成された変換画像を、以下「変換画像Ａ」とする。また、変換画像Ａよりも画像処理の適用度合が１段階強められた変換画像を「変換画像Ｂ」とし、変換画像Ｂよりも画像処理の適用度合がさらに１段階強められた変換画像を「変換画像Ｃ」とする。
【００７７】
このようにして、表示部１２０の表示パネルにおいて変換画像が可視表示されると、表示制御部１１４は、当該表示中の変換画像について現在適用されているパラメータを異ならせた同じ種類の画像処理を適用する（ステップＳ２０６）。この動作を、タッチセンサでのタッチ位置の移動又はタッチの終了（センサ制御部１１３による接触位置の検出等によって分かる。）、もしくは、変更可能なパラメータ範囲の終了が検出されるまで実行することで（ステップＳ２０７：Ｎｏ）、タッチセンサ上で手指タッチがおこなわれている間、例えば、図９に示すように、変換画像Ａから変換画像Ｃへと徐々に変化するよう表示される。なお、このとき、表示制御部１１４は、ステップＳ２０７の処理でＮｏと判別する毎に所定時間待機することによって、変換画像Ａから変換画像Ｃへと徐々に変化するよう表示される。
【００７８】
ここでは、一例として、画像処理の適用度合が最も弱くなるパラメータを初期値とし、適用度合を強めていく場合を示したが、画像処理の適用度合が最も強くなるパラメータを初期値とし、適用度合を弱めていくように表示させてもよい。
【００７９】
また、変換画像について画風の種類を順次異ならせて（例えば、油絵風、ちぎり絵風、水墨画風の順に画風の種類を変化させ）、変換画像の画風を変更してもよい。この場合には、繰り返し行われるステップＳ２０６において、表示制御部１１４は、異なる種類の画風の変換画像データを画像データ取得部１１１が保持する元画像データに基づいて順次生成し（変換画像を生成し）、生成した変換画像データが表す変換画像を表示部１２０に表示しても良い。なお、変換する画風の種類の順序については予めユーザの指定等によって設定されているものとする。なお、この場合の必要なデータ等は、記憶部１６０に記録され、表示制御部１１４によって使用されるものとする。
【００８０】
そして、センサ部１３０からの検出信号に基づいてセンサ制御部１１３がタッチ終了を判別したり、表示制御部１１４による画像処理のパラメータが適用可能範囲の上限もしくは下限となった場合（ステップＳ２０７：Ｙｅｓ）、本処理を終了して「タッチ連動表示処理」（図４）のフローに戻る。
【００８１】
なお、上記動作例においては、パラメータ範囲の終了によって処理を終了するものとしたが、パラメータの上限もしくは下限に達した後も手指タッチが継続されている場合、例えば、パラメータの増減を逆転させて表示を継続するようにしてもよい。
【００８２】
「表示変更処理（２）」からリターンした「タッチ連動表示処理」のフローでは、「タッチ連動表示処理」にかかる終了イベントが発生するまで、ステップＳ１２以降の処理がおこなわれる（ステップＳ１６：Ｎｏ）。
【００８３】
次に、検出された手指タッチの位置が「左領域」であった場合（ステップＳ１５：Ｎｏ）の動作例を説明する。この場合、「通常の表示切替処理」を実行する（ステップＳ３００）。本実施形態では、デフォルトの元画像が表示されている状態で、タッチセンサ上での手指タッチを右方向にスライドさせた場合、元画像を他の元画像に切り替える動作規定が設定されているものとする。すなわち、通常のデジタルフォトフレームで一般的におこなわれているような、表示写真を次々と切り替える動作がおこなわれる。
【００８４】
この場合、最初のタッチ位置が「左領域」であれば右方向へのスライドがおこなわれる可能性が高いため、このような場合（ステップＳ１５：Ｎｏ）に「通常の表示切替処理」がおこなわれる。
【００８５】
なお、上述した「表示変更処理（１）」（図５）は、左方向にスライドする可能性の高い右領域でのタッチ位置が検出された場合に実行されるが、この場合であっても、最初に検出されたスライドが右方向であれば（ステップＳ１１４：Ｎｏ）、通常の表示切替処理を実行することで、元画像の切替表示がおこなわれる。
【００８６】
以上のような各処理がおこなわれた後の「タッチ連動表示処理」（図４）では、当該処理にかかる終了イベントの発生により処理を終了する（ステップＳ１６：Ｙｅｓ）。
【００８７】
以上のように、本実施形態にかかるデジタルフォトフレーム１００において上述した各処理が実行されることで、デジタルフォトフレームにおいて表示する写真画像にアートフィルタなどの画像処理を適用して表示する際に、元画像と変換画像との比較、あるいは、変換画像における画像処理の適用度合の比較、などを直感的な操作でおこなうことができ、使用者等の嗜好にあった画像選択などを容易におこなうことができる。
【００８８】
上記実施形態では、上記の動作によって、センサ制御部１１３は、ユーザからの接触操作を検出するためのセンサ部１３０によって、センサ部１３０におけるユーザが接触操作した位置である接触位置を検出する。また、画像データ取得部１１１は、上記の動作によって、元画像を表す元画像データを取得する。また、領域設定部１１２は、画像データ取得部１１１が取得した（ここでは保持している）元画像データが表す元画像における領域ＡＲと領域ＰＲとを、センサ制御部１１３が検出したタッチ位置に応じて設定する。また、表示制御部１１４は、画像データ取得部１１１が取得した画像データと領域設定部１１２が設定した領域ＡＲ及び領域ＰＲとに基づいて、画像データが表す第１画像の領域ＡＲの画風を変更させた（領域ＡＲに画像処理を施した）第２画像を生成し、生成した第２画像を表示部１２０に表示する。そして、領域ＡＲと領域ＰＲとは、所定方向（ここでは、画面上の横方向、タッチセンサの長尺方向）に沿って隣り合っており、領域設定部１１２は、センサ制御部１１３によって検出したタッチ位置が移動すると領域ＡＲと領域ＰＲとの境界をタッチ位置の移動に応じて（ここでは、タッチ移動の方向と平行して）移動させる。
【００８９】
本実施形態では、上記構成によって、変換画像の領域と元画像の領域とが１つの画像について分割して表示され、これら領域の境界が接触操作による接触位置に応じて変化することになる。つまり、表示部１２０に表示された第２画像における領域ＡＲと領域ＰＲとの境界が接触操作によって変更されるので、ユーザは、元の画像と画像処理後の画像（変換画像）とをユーザの操作に連動して直感的に見比べることができる。
【００９０】
また、センサ部１３０は、少なくとも、表示部１２０の表示画面と少なくとも１方向（ここでは、横方向（長尺方向））で平行する１以上のタッチセンサを含む。これによって、領域ＡＲと領域ＰＲとの境界の移動方向をタッチセンサの長尺方向と平行にすることができ、ユーザは、元の画像と画像処理後の画像（変換画像）とをユーザの操作（指の位置）に連動して直感的に見比べることができる。特にここでは、指の位置が領域ＡＲと領域ＰＲとの境界と縦方向において同じ位置にあるため、ユーザは境界と指との位置関係を把握しやすい。また、タッチセンサは、デジタルフォトフレーム１００の筐体に形成されるので、表示部１２０の表示画面が接触操作によって汚れない。
【００９１】
さらに、上記では、タッチセンサのスライド操作によって、他の操作はいらずに、自動的に画風の変更（画像処理）が行われる。
【００９２】
（実施形態２）
上記実施形態１で例示した各処理を基本動作とし、これらの処理にかかる対象画像の組み合わせや手指スライドの方向と動作との対応などを異ならせることで、タッチセンサを利用した種々の表示処理をおこなうことができる。
【００９３】
例えば、上記実施形態１では、タッチセンサ上でのタッチがスライドしない場合に、変換画像における画像処理の適用度合を徐々に変化させる動作（「表示変更処理（２）」）を例示したが、このような動作を「表示変更処理（１）」で例示した動作と組み合わせてもよい。
【００９４】
例えば、図１０に示すように、タッチセンサ上での手指スライドに応じて動的に規定される領域ＡＲに変換画像Ａを表示する動作をおこなった後に、手指スライドが静止した場合（つまり、所定の期間以上、タッチ位置が同じ位置に留まっている場合）、そのときの領域ＡＲに表示している変換画像を、変換画像Ａから変換画像Ｃへと徐々に（所定の時間間隔毎に）変化するよう表示してもよい。これによって、変換画像の画風の変更の度合いが徐々に変化する。このようにタッチ位置が変化しない期間に応じて、領域ＡＲの画風の変更の度合いを変化させることによって、ユーザは画風の変化について確認することができる。
【００９５】
また、このように変換画像を徐々に変化させる方法は任意であり、例えば、図１１に示すように、元画像が表示されている状態における左方向への手指スライドに基づく領域ＡＲに変換画像Ａを表示する。そして、右方向への手指スライドが検出された場合には、当該スライドに基づく領域ＡＲに変換画像Ｂを表示する。同様にして、その後の左方向の手指スライドでは、領域ＡＲに変換画像Ｃを表示する。すなわち、タッチセンサ上での手指スライドの往復（タッチ位置の往復移動）に応じて、元画像から変換画像Ａ、変換画像Ａから変換画像Ｂ、変換画像Ｂから変換画像Ｃへと変換画像が変化するように、つまり、変換画像の画風の変更の度合いが徐々に変化する画像処理をすることもできる。これによって、ユーザは画風の変化についてスライド動作等で確認することができる。
【００９６】
なお、上記同様、変換画像について画風の種類を順次異ならせて（例えば、油絵風、ちぎり絵風、水墨画風の順に画風を変化させ）、変換画像の画風の種類を変更してもよい。これによって、ユーザは画風の表現方法の変更について確認することができる。又は、ユーザは画風の表現方法の変更についてスライド動作等で確認することができる。
【００９７】
（実施形態３）
上記実施形態では、表示パネル（表示部１２０）の近傍に１つのタッチセンサ（センサ部１３０）を備えたデジタルフォトフレーム１００（図１）の例を示したが、構成するタッチセンサの数や位置は任意であり、例えば、図１２（ａ）に示すような外観構成となるデジタルフォトフレーム１００とすることもできる。
【００９８】
すなわち、図１２（ａ）に示すように、長手方向で表示パネル（表示部１２０）と平行する２つのタッチセンサＡおよびタッチセンサＢ（センサ部１３０）を、表示パネルの上辺および下辺それぞれの近傍に配置したデジタルフォトフレーム１００としてもよい。
【００９９】
この場合、いずれのタッチセンサにタッチされたかによって、上記実施形態１で例示した各処理の割当を変えることができ、より多様な表示処理を実現する操作を容易におこなうことができる。
【０１００】
例えば、上側のタッチセンサＡには、元画像についての表示処理操作を割り当て、下側のタッチセンサＢには、変換画像についての表示処理操作を割り当てることができる。これにより、例えば、上側にタッチセンサＡで検出される手指スライドの方向に応じて、表示対象となっている複数の元画像の順序にしたがい、現在表示されている元画像の前後の元画像に表示切替する。そして、元画像が表示された状態で下側のタッチセンサＢへのタッチが検出されると、現在表示されている元画像についての変換画像に切り替わり、さらに下側のタッチセンサＢ上で手指スライドが検出された場合には、スライド方向に応じて変換画像についての表示切替（例えば、表示対象となっている元画像の表示順序に対応して、前後の変換画像が表示されるような表示切替）がおこなわれるよう表示制御することができる。
【０１０１】
あるいは、例えば、２本の手指を同時に使用することで、領域ＡＲと領域ＰＲを設定するようにしてもよい。すなわち、図１２（ｂ）に示すように、タッチセンサＡ上でのタッチ位置と、タッチセンサＢ上でのタッチ位置とを結んだ直線によって表示画面を２つの領域に分割し、一方を領域ＡＲ、他方を領域ＰＲとする。この場合、各タッチセンサ上でのタッチ位置の変化に応じて、領域の割合や形状が変化するが、このような場合であっても、順次設定される領域に応じた画像処理をおこなうことで、元画像と変換画像、あるいは、複数の変換画像が合成された画面が動的に変化するように表示することができる。
【０１０２】
（実施形態４）
上記各実施形態では、表示パネルの近傍にタッチセンサが配置される構成を例示したが、表示パネル（表示部１２０）がタッチセンサ（センサ部１３０）の機能を備える、いわゆるタッチパネル（表示部１２０＋センサ部１３０）によってデジタルフォトフレーム１００を構成してもよい。
【０１０３】
この場合、タッチパネル上でのタッチやスライドに応じて上述した各処理をおこなうことができる（特に、上記と同様に、タッチパネルの領域を「左領域」、「中央領域」、「右領域」に区切り、接触位置がどの領域にあるかで表示変更処理（１）及び（２）、表示切替処理のうちのいずれかを行う処理ができる）が、さらに、接触面積を検出することで処理方法を異ならせることができる。例えば、図１３（ａ）に示すように、タッチパネルで検出された接触面積に基づいて、手指全体でタッチパネル上をスライドさせたことが検出された場合（接触面積が大きい場合）には、スライドしている手指の位置に対応して領域ＡＲと領域ＰＲとの境界を設定する。一方、タッチパネル上の接触面積に基づいて、指先でタッチパネル上をスライドさせたことが検出された場合（接触面積が小さい場合）には、例えば、元画像同士の表示切替（現在表示している元画像の前後の元画像への切替）をおこなうようにすることができる。つまり、接触面積の大小に応じて、第２画像を表示するか、表示切り替えを行うかの二通りの処理が行われても良い。ここで、接触面積が大きいとは、接触面積の大きさが所定の基準を満たす（例えば、所定の閾値を超える）場合をいい、接触面積が小さいとは、接触面積の大きさが所定の基準を満たさない（例えば、所定の閾値以下である）場合をいう。
【０１０４】
センサ制御部１１３は、上記のように、センサ部１３０への接触操作による接触面積を検出し、表示制御部１１４は、接触面積の大きさが所定の基準を満たす場合に、第２画像を表示部１２０に表示する処理を行う。また、接触面積の大きさが所定の基準を満たさない場合、画像データ取得部１１１は、現在表示部１２０に表示している画像についての画像データ（現在保持している画像データ）とは異なる他の画像データ（元画像データ）を取得する。そして、表示制御部１１４は、画像データ取得部１１１が新たに取得した元画像データに基づいて、この元画像データが表す元画像を表示部１２０に表示する。これによって、表示制御部１１４は、表示部１２０にすでに表示されている画像を他の画像に切り替える処理を行う。以上のような処理によって、似たような操作で、表第２画像を表示するか、表示切り替えを行うかの二通りの処理が行われるので、ユーザの利便性が高まる。
【０１０５】
また、いわゆるマルチタッチに対応したタッチパネルであれば、画面上で指定した２点によって領域を指定することができる。これにより、例えば、図１３（ｂ）に示すように、画面上での手指タッチによって指定された２点間を対角線とした矩形の領域を領域ＡＲとして設定することができる。
【０１０６】
このような手指タッチで指定される領域ＡＲは、指定された２点で規定される矩形領域とすることができる他、例えば、タッチパネル上での手指移動の軌跡を示す形状としてもよい。この場合、タッチパネル上でなぞった部分のみが変換画像となるように表示制御することができる。
【０１０７】
すなわち、表示パネル（表示部１２０）に表示されている画像への直接的なタッチにより、元画像と変換画像の比較や画像処理効果の確認などをより直感的におこなうことができる。
【０１０８】
（変形例）
上記実施形態は一例であり、本発明の適用範囲はこれに限られない。すなわち、種々の応用が可能であり、あらゆる実施の形態が本発明の範囲に含まれる。
【０１０９】
例えば、上記実施形態で例示したタッチセンサの検出方式、形状やサイズ、配置位置などは一例であり、上述した各処理にかかる動作を実現できる検出がおこなえるのであれば任意のタッチセンサとすることができる。
【０１１０】
また、上記実施形態で例示した「表示変更処理（２）」（図６）では、タッチ時間に応じて画像処理のパラメータを異ならせるものとしたが、例えば、実施形態１のように、タッチ強度（接触操作における押圧力）を検出できるタッチセンサを用いているのであれば、検出されたタッチ強度に応じて画像処理のパラメータを変更してもよい。また、このような処理は、実施形態２においても適用できる。また、当然、タッチ強度に応じて画風の種類を変更させてもよい。
【０１１１】
また、上記実施形態では、タッチセンサ上での手指スライドの方向に応じて処理をおこなう例を示したが、方向だけでなく、例えば、スライドのスピードを検出し、検出されたスピードに応じた処理をおこなうようにしてもよい。
【０１１２】
上記のようなセンサ部によって検知する接触操作の内容（上記の押圧力、スライドのスピード等）に応じて、変換画像の画風の変更の度合いを変化させるか又は画風の種類の変更することによっても、ユーザは画風の変化又は画風の表現方法の変更について確認することができる。又は、ユーザは画風の変化又は画風の表現方法の変更についてスライド動作等で確認することができる。
【０１１３】
なお、上記実施形態では、タッチセンサが手指によるタッチを検出するものとしたが、これに限られるものではなく、例えば、スタイラスペンなどを用いたタッチを検出することで上記各処理をおこなってもよい。
【０１１４】
また、上記では、画像処理が画風を変更する処理である場合を説明したが、画像処理は、明るさ補正、赤目補正等の補正処理等の他の画像処理であってもよい。この場合、画像処理の度合いの性質は上記同様である。画像処理の度合いは、ここでは、例えば、補正処理等で用いられるパラメータ（明るさを規定する数値等からなる）等になる。
【０１１５】
なお、上記実施形態のデジタルフォトフレーム１００と同様の機能や構成を予め備えた表示制御装置によって本発明を実現できることはもとより、既存の表示制御装置（デジタルフォトフレームなど）にプログラムを適用することで、本発明にかかる表示制御装置として機能させることもできる。この場合、上記実施形態で例示したデジタルフォトフレーム１００が有するタッチセンサ（センサ部１３０）と同様の構成を備えた表示制御装置のコンピュータ（ＣＰＵなどの制御部）に、上述した制御部１１０の機能と同様の機能を実現させるためのプログラムを実行させることで、本発明にかかる表示制御装置として機能させることができる。
【０１１６】
なお、上記実施形態では、表示制御装置の例として、デジタルフォトフレームを示したが、上記実施形態で例示したタッチセンサ（センサ部１３０）と同様の構成を備えているものであれば表示制御装置の形態は任意であり、例えば、デジタルカメラやパーソナルコンピュータなどで本発明にかかる表示制御装置を実現することもできる。
【０１１７】
いずれの場合でも、プログラムを適用することで、既存の装置を本発明にかかる表示制御装置として機能させることができる。このようなプログラムの適用方法は任意であり、例えば、ＣＤ−ＲＯＭ、メモリカード、ＲＡＭ、ＲＯＭ等の記憶媒体に格納して適用できる他、例えば、インターネットなどの通信媒体を介して適用することもできる。
【符号の説明】
【０１１８】
１００…デジタルフォトフレーム、１１０…制御部、１１１…画像データ取得部、１１２…領域設定部、１１３…センサ制御部、１１４…表示制御部、１２０…表示部、１３０…センサ部、１４０…操作部、１５０…Ｉ／Ｆ部、１６０…記憶部、ＡＲ…領域、ＰＲ…領域
【図１】
2011154533.tif 000003
【図２】
2011154533.tif 000004
【図３】
2011154533.tif 000005
【図４】
2011154533.tif 000006
【図５】
2011154533.tif 000007
【図６】
2011154533.tif 000008
【図７】
2011154533.tif 000009
【図８】
2011154533.tif 000010
【図９】
2011154533.tif 000011
【図１０】
2011154533.tif 000012
【図１１】
2011154533.tif 000013
【図１２】
2011154533.tif 000014
【図１３】
2011154533.tif 000015